(57)【特許請求の範囲】
【請求項１】
除菌対象空気が上流側から下流側に流れる浄化用通気路を有するハウジングと、浄化用通気路を流れる除菌対象空気に殺菌剤溶液を噴霧する噴霧装置と、浄化用通気路から降下する殺菌剤溶液を受け止める循環槽と、循環槽の殺菌剤溶液を噴霧装置に供給する循環系と、循環槽に殺菌剤溶液を供給する薬剤供給系を備え、
薬剤供給系は、供給源から殺菌剤溶液を大流量で供給する調製用供給部と、調製用供給部から供給する殺菌剤溶液を受け止める中継槽と、中継槽から循環槽へ殺菌剤溶液を小流量で供給する補給用供給部と、中継槽から補給用供給部を経ることなく中継槽内に滞留する異物を伴って殺菌剤溶液を循環槽へ大流量で注ぐ注液手段を有することを特徴とする空気清浄装置。
【請求項２】
除菌対象空気が上流側から下流側に流れる浄化用通気路を有するハウジングと、浄化用通気路を流れる除菌対象空気に殺菌剤溶液を噴霧する噴霧装置と、浄化用通気路から降下する殺菌剤溶液を受け止める循環槽と、循環槽の殺菌剤溶液を噴霧装置に供給する循環系と、循環槽に殺菌剤溶液を供給する薬剤供給系を備え、
薬剤供給系は、供給源から殺菌剤溶液を大流量で供給する調製用供給部と、調製用供給部から供給する殺菌剤溶液を受け止める中継槽と、中継槽から循環槽へ殺菌剤溶液を小流量で供給する補給用供給部と、中継槽内に滞留する異物を伴って殺菌剤溶液を循環槽へ大流量で注ぐ注液手段を有し、
薬剤供給系は、調製用供給部から中継槽へ流入する殺菌剤溶液が中継槽内に滞留する異物を浮遊させる中継槽洗浄手段を有することを特徴とする空気清浄装置。
【請求項３】
注液手段は、中継槽から循環槽へ殺菌剤溶液が越流する中継槽の越流口からなり、中継槽洗浄手段は、調製用供給部から中継槽へ供給する殺菌剤溶液を中継槽の槽底面に向けて案内するガイド部からなることを特徴とする請求項２に記載の空気清浄装置。
【請求項４】
ガイド部は、中継槽の最底部に向けて傾斜する槽底面の傾斜面からなることを特徴とする請求項３に記載の空気清浄装置。
【請求項５】
ガイド部は、調製用供給部の供給管路からなり、供給管路が中継槽の底部付近において底面に向けて開口することを特徴とする請求項３に記載の空気清浄装置。
【請求項６】
注液手段は、中継槽の槽底部を貫通して配置したオーバーフロー管からなり、オーバーフロー管は、上端開口が中継槽の水面付近に開口して越流口をなし、下端開口が循環槽の底部付近において底面に向けて開口することを特徴とする請求項５に記載の空気清浄装置。
【請求項７】
注液手段は、中継槽に形成した注ぎ口が下方位置となる姿勢に中継槽を反転させる反転装置からなることを特徴とする請求項２に記載の空気清浄装置。
【発明の詳細な説明】
【技術分野】
【０００１】
本発明は、除菌、消臭、除塵、ガス除去の機能を備える空気清浄装置に関するものである。
【背景技術】
【０００２】
従来、空気清浄装置には、例えば特許文献１に記載するものがある。これは、殺菌剤溶液が空気中において菌と気液接触して殺菌を行なうもので、ハウジングの通気路において除菌対象空気が上流側から下流側に流れ、通気路を流れる除菌対象空気に噴霧装置によって殺菌剤溶液を噴霧し、通気路から降下する殺菌剤溶液を循環槽で受け止め、循環槽の殺菌剤溶液を噴霧装置に供給するものであり、循環槽と循環系と噴霧装置と通気路とで形成される殺菌剤溶液の巡廻系に薬剤供給装置から殺菌剤用液の原液として微酸性電解水を供給し、希釈水系から殺菌剤溶液を希釈する希釈用水を供給するものである。
【０００３】
また、特許文献２のものは、除菌対象空気が上流側から下流側に流れる通気路を有するハウジングと、前記通気路を流れる除菌対象空気に殺菌剤溶液としての微酸性電解水を噴霧する噴霧装置と、前記通気路から降下する殺菌剤溶液を受け止める循環槽と、循環槽の微酸性電解水を噴霧装置に供給する循環系と、循環槽に微酸性電解水を供給する薬剤供給装置とを備え、薬剤供給装置は、ハウジングの外へ微酸性電解水を取り出す外部取出部を有している。
【先行技術文献】
【特許文献】
【０００４】
【特許文献１】特開２０１３−２２６３７３
【特許文献２】特開２０１５−７８７８５
【発明の概要】
【発明が解決しようとする課題】
【０００５】
上記した特許文献１、２において、薬剤供給装置は、中継槽から循環槽へ微酸性電解水を小流量で供給しつつ、希釈用水を循環槽に供給し、循環槽の殺菌剤溶液の有効塩素濃度を設定濃度の０．１−１０ｍｇ／Ｌに維持し、薬効を保っている。そして、循環槽に殺菌剤溶液と希釈用水を連続的に供給しつつ、除菌対象空気から殺菌剤溶液中に移行した異物を殺菌剤溶液の余剰分とともに随時にオーバーフローさせて循環槽から排出し、循環槽内の殺菌剤溶液の清浄性を維持している。
【０００６】
ところで、中継槽へ流入する微酸性電解水からなる殺菌剤溶液中には生成時の給水中に含まれた供給水由来の含有物が異物として含まれており、経時的に中継槽内の異物の滞留分が増加する。このため、適時に中継槽を洗浄する必要がある。
【０００７】
本発明は上記した課題を解決するものであり、適時に中継槽の洗浄を短時間で実施することができる空気清浄装置を提供する。
【課題を解決するための手段】
【０００８】
上記課題を解決するために、本発明の空気清浄装置は、除菌対象空気が上流側から下流側に流れる浄化用通気路を有するハウジングと、浄化用通気路を流れる除菌対象空気に殺菌剤溶液を噴霧する噴霧装置と、浄化用通気路から降下する殺菌剤溶液を受け止める循環槽と、循環槽の殺菌剤溶液を噴霧装置に供給する循環系と、循環槽に殺菌剤溶液を供給する薬剤供給系を備え、薬剤供給系は、供給源から殺菌剤溶液を大流量で供給する調製用供給部と、調製用供給部から供給する殺菌剤溶液を受け止める中継槽と、中継槽から循環槽へ殺菌剤溶液を小流量で供給する補給用供給部と、中継槽から補給用供給部を経ることなく中継槽内に滞留する異物を伴って殺菌剤溶液を循環槽へ大流量で注ぐ注液手段を有することを特徴とする。
【０００９】
本発明の空気清浄装置は、除菌対象空気が上流側から下流側に流れる浄化用通気路を有するハウジングと、浄化用通気路を流れる除菌対象空気に殺菌剤溶液を噴霧する噴霧装置と、浄化用通気路から降下する殺菌剤溶液を受け止める循環槽と、循環槽の殺菌剤溶液を噴霧装置に供給する循環系と、循環槽に殺菌剤溶液を供給する薬剤供給系を備え、薬剤供給系は、供給源から殺菌剤溶液を大流量で供給する調製用供給部と、調製用供給部から供給する殺菌剤溶液を受け止める中継槽と、中継槽から循環槽へ殺菌剤溶液を小流量で供給する補給用供給部と、中継槽内に滞留する異物を伴って殺菌剤溶液を循環槽へ大流量で注ぐ注液手段を有し、薬剤供給系は、調製用供給部から中継槽へ流入する殺菌剤溶液が中継槽内に滞留する異物を浮遊させる中継槽洗浄手段を有することを特徴とする。
【００１０】
本発明の空気清浄装置において、注液手段は、中継槽から循環槽へ殺菌剤溶液が越流する中継槽の越流口からなり、中継槽洗浄手段は、調製用供給部から中継槽へ供給する殺菌剤溶液を中継槽の槽底面に向けて案内するガイド部からなることを特徴とする。
【００１１】
本発明の空気清浄装置において、ガイド部は、中継槽の最底部に向けて傾斜する槽底面の傾斜面からなることを特徴とする。
本発明の空気清浄装置において、ガイド部は、調製用供給部の供給管路からなり、供給管路が中継槽の底部付近において底面に向けて開口することを特徴とする。
【００１２】
本発明の空気清浄装置において、注液手段は、中継槽の槽底部を貫通して配置したオーバーフロー管からなり、オーバーフロー管は、上端開口が中継槽の水面付近に開口して越流口をなし、下端開口が循環槽の底部付近において底面に向けて開口することを特徴とする。
【００１３】
本発明の空気清浄装置において、注液手段は、中継槽に形成した注ぎ口が下方位置となる姿勢に中継槽を反転させる反転装置からなることを特徴とする。
【発明の効果】
【００１４】
以上のように本発明によれば、注液手段により殺菌剤溶液を循環槽へ大流量で注ぐことで、中継槽内に滞留する異物を殺菌剤溶液とともに循環槽へ移送することができる。また、中継槽洗浄手段により調製用供給部から中継槽へ流入する殺菌剤溶液で中継槽内に滞留する異物を浮遊させることで、異物の流動性が高まり、循環槽への移送を容易に行える。
【００１５】
ガイド部が調製用供給部から中継槽へ供給する殺菌剤溶液を中継槽の槽底面に向けて案内することで、槽底面付近の異物が殺菌剤溶液中に舞い上がって浮遊する状態となり、流動性が高まる。
【００１６】
注液手段の反転装置によって中継槽を反転させることで、中継の注ぎ口が下方位置となって、中継槽内の殺菌剤溶液の全量が槽内の異物を伴って循環槽へ移送される。
【図面の簡単な説明】
【００１７】
【図１】本発明の実施の形態における空気清浄装置の模式的構成を示す正面図
【図２】同空気清浄装置の模式的構成を示す側面図
【図３】同空気清浄装置の模式的構成を示す要部拡大図
【図４】同空気清浄装置を示す斜視図
【図５】本発明の他の実施の形態における空気清浄装置の要部を示す模式図
【図６】同実施の形態における空気清浄装置の中継槽を示す拡大図
【図７】他の実施の形態における中継槽を示す模式図
【発明を実施するための形態】
【００１８】
以下、本発明の実施の形態を図面に基づいて説明する。
（実施の形態１）
図１および図４に示すように、空気清浄装置は、ハウジング５００の前面の扉体５０１に下方位置の吸気口５０２と上方位置の送気口５０３を有しており、ハウジング５００の内部に除菌対象空気５１が上流側の吸気口５０２から下流側の送気口５０３に流れる浄化用通気路５２を形成している。
【００１９】
ハウジング５００の浄化用通気路５２の途中には、除菌対象空気５１の流れ方向において上流側から下流側へ順次に、第１防塵ネット５０４、中性能フィルター５０５、メディア５０６、噴霧装置５３、エリミネータ５０７、ファン装置６００、第２防塵ネット５０８を設けている。
【００２０】
第１防塵ネット５０４、中性能フィルター５０５、メディア５０６は、浄化用通気路５２の気液接触領域を形成する風洞５０９に装着している。メディア５０６は風洞５０９の内部に吸気口５０２の側からハウジング５００の奥側に向けて斜め下方に傾斜させて配置してあり、配置に要する高さを抑制している。
【００２１】
噴霧装置５３は浄化用通気路５２を流れる除菌対象空気に微酸性電解水の殺菌剤溶液をメディア５０６に沿って噴霧するもので、複数の噴霧ノズル５３１を備えている。噴霧ノズル５３１は斜め下方に向けて配置しても良く、上方に向けて配置しても良く、噴霧装置５３をメディア５０６と対向する位置に配置することも可能である。
【００２２】
ここでの微酸性電解水の定義は、「食品、添加物等の規格基準（昭和３４年１２月２８日厚生省告示第３７０号）」および「平成２４年０４月２６日厚生労働省告示第３４５号」に規定されたものであり、主な有効成分が次亜塩素酸（ＨＣＬＯ）で、ｐＨ５．０−６．５、有効塩素濃度１０−８０ｍｇ／ｋｇの水溶液である。
【００２３】
中性能フィルター５０５は微細粒子を捕捉して気流中から除去し、メディア５０６は噴霧装置５３から噴霧された噴霧水を保持して除菌対象空気と殺菌剤溶液との気液接触を促すものであって、例えば、ポリ塩化ビニルデン系繊維をマット状にしたものである。エリミネータ５０７は水滴やミストを捕捉して気流中から除去するものであり、メディア５０６を配した風洞５０９の上方位置に配置している。
【００２４】
風洞５０９の下方には風洞５０９から降下する殺菌剤溶液を受け止めるパン５１０を配置しており、エリミネータ５０７、メディア５０６、風洞５０９、パン５１０はメンテナンス時にハウジング５００から取り外しが可能であり、メディア５０６は風洞５０９の前面側から脱着を行う。また、運転中にエリミネータ５０７を持ち上げることで殺菌剤溶液の噴霧状態を確認可能である。
【００２５】
パン５１０の下方には循環槽５４が設けてあり、循環槽５４は浄化用通気路５２から降下する殺菌剤溶液やパン５１０から流入する殺菌剤溶液を受け止めて貯溜するものである。循環槽５４の内部には中継槽５４１を設けており、中継槽５４１を覆って降下液ガイド板５４２を設けている。このように、中継槽５４１を循環槽５４の内部に配置することで、漏水対策用のパン等を中継槽の下方に配置する必要がなく、密閉形式にして漏水を防止する必要がなくなり開放形状を採用することができる。
【００２６】
循環槽５４と噴霧装置５３の間には循環系５５が配設してあり、循環系５５は循環ポンプ５５０を有して循環槽５４の殺菌剤溶液を噴霧装置５３に供給するものである。
循環系５５は、殺菌剤溶液の噴霧と排出を兼ねる循環ポンプ５５０が循環槽５４の下方に位置し、循環ポンプ５５０の下流側に三方切替弁５５１および逆止弁５５２を介装している。三方切替弁５５１から排水系５６７が分岐しており、三方切替弁５５１を切替操作することで１台の循環ポンプ５５０を兼用して殺菌剤溶液の循環と排出を実施できる。
【００２７】
また、循環ポンプ５５０の停止時には逆止弁５５２が循環系５５における殺菌剤溶液の逆流を阻止するので、噴霧装置５３の噴霧ノズル５３１を上方に向けて配置すれば、循環ポンプ５５０の停止時に循環系５５の内部を殺菌剤溶液が満たした状態となり、循環ポンプ５５０の再起動時に空気の排出に起因する異音が発生しない。
【００２８】
生成時濃度の原液の殺菌剤溶液である微酸性電解水を供給する薬剤供給系５６は、微酸性電解水を生成する生成装置５６１と、生成装置５６１に給水する給水系５６２と、給水系５６２から分岐して希釈用水を循環槽５４に供給する希釈用水供給系５６３と、先に述べた中継槽５４１と、生成装置５６１から微酸性電解水を中継槽５４１および中継槽５４１を介して循環槽５４に調製用大流量で供給する調製用供給部５６４と、中継槽５４１から循環槽５４へ微酸性電解水を補給用小流量で滴下して供給する中継ポンプ５６５を介装した補給用供給部５６６を備えている。
【００２９】
中継槽５４１は、底面が調製用供給部５６４の開口５６４ａに対応する一方側縁５４１ａから最底部５４１ｃに向けて下り勾配に傾斜した下り傾斜面５４１ｅをなし、最底部５４１ｃを経て他方側縁５４１ｂに向けて上り勾配に傾斜する上り傾斜面５４１ｆをなす。他方側縁５４１ｂは、一方側縁５４１ａに比べて低い位置にあり、越流口をなし、最低部５４１ｃに補給用供給部５６６が接続している。
【００３０】
ここで越流口は、中継槽５４１の内部に滞留する異物、すなわち殺菌剤溶液の生成時の給水中に含まれた供給水由来の含有物を伴って殺菌剤溶液を循環槽５４へ大流量で注ぐ注液手段をなす。中継槽５４１は後述するようにいわゆる「鹿威し」の構造とすることも可能である。
【００３１】
そして、中継槽５４１の底面、すなわち一方側縁５４１ａから最底部５４１ｃに向けて傾斜する下り傾斜面５４１ｅは、殺菌剤溶液を中継槽５４１の槽底面の最底部５４１ｃに向けて案内するガイド部、すなわち調製用供給部５６４から中継槽５４１へ流入する殺菌剤溶液が中継槽５４１の内部に滞留する異物を浮遊させる中継槽洗浄手段をなし、この中継槽洗浄手段によって槽底面付近の異物が殺菌剤溶液中に舞い上がって浮遊する状態となり、異物の流動性が高まる。
【００３２】
本実施の形態において、中継槽５４１の断面形状は逆三角形状をなすが、多角形状に形成することも可能であり、底面を円弧状の曲面に形成することも可能であり、底面を多段状に傾斜角度が異なる傾斜面に形成することも可能である。
【００３３】
調剤用供給部５６４には三方切替弁５６４ｂが介装してあり、三方切替弁５６４ｂから外部取出部５６４ｃが分岐しており、外部取出部５６４ｃの給水口５６４ｄはハウジング５００の側部に設けてある。
【００３４】
循環槽５４の内部には下限液位計５４ａ、中位液位計５４ｂ、上限液位計５４ｃをそれぞれの設定液位に相当する位置に設けている。扉体５０１の前面には空気清浄装置の運転を担う制御装置７００を設けている。
【００３５】
制御装置７００は、通常運転モード、調製運転モード、洗浄運転モードを担う機能回路を有しており、通常運転モードと調製運転モードとを１サイクルとするバッチ運転を繰り返し、通常運転モードと調製運転モードとのサイクルを複数回行った後に洗浄運転モードを実施する。
【００３６】
本実施の形態では、通常運転モードが２０−４０分程度、調製運転モードが排水時間を含めて６５秒程度であり、洗浄運転モードを１日１回以上の頻度で行う。
以下、上記した構成の作用を説明する。以下においては、制御装置７００による運転について説明するが、手動操作によっても同様の運転を行うことができる。
（通常運転モード）
薬剤供給装置５６は、中継ポンプ５６５により補給用供給部５６６を介して中継槽５４１に満たした５００−１０００ｍＬの微酸性電解水を補給用小流量、ここでは例えば０．０５Ｌ／分で循環槽５４に滴下して供給し、循環槽５４の殺菌剤溶液の有効塩素濃度を０．１−１０ｍｇ／Ｌに維持し、循環槽５４の殺菌剤溶液を殺菌に適した希釈濃度に保つ。
【００３７】
この状態で、循環ポンプ５５０によって循環槽５４の殺菌剤溶液を噴霧装置５３に供給し、ハウジング５００の浄化用通気路５２を上流側から下流側に流れる除菌対象空気５１に、噴霧装置５３の噴霧ノズル５３１から循環槽５４で濃度調整された殺菌剤溶液を噴霧する。槽内の液位は、中位液位計５４ｂの中位設定レベルと上限液位計５４ａの高位設定レベルの間に維持し、噴霧により失われた損失量を補うために、必要に応じて希釈用水供給系５６３から希釈用水を供給する。供給量は殺菌剤溶液：希釈用水＝１：９の割合で供給する。
【００３８】
この噴霧により、除菌対象空気５１に含まれる浮遊菌や塵埃等の異物は、噴霧された殺菌剤溶液の噴霧水に衝突し、捕捉され、除菌される。さらにメディア５０６に到達した殺菌剤溶液の噴霧水は、メディア５０６に付着した浮遊菌や塵埃を流下させるとともに、除菌対象空気５１に含まれた浮遊菌や塵埃等の異物を取り込み、循環槽５４内に流入する。
【００３９】
循環槽５４では、微酸性電解水が補給用小流量で滴下されて循環槽５４の槽内の殺菌剤溶液の有効塩素濃度が０．１−１０ｍｇ／Ｌの殺菌に適した希釈濃度に維持されているので、循環槽５４内に流入する菌を確実に除菌することができる。また、殺菌剤溶液を除菌対象空気５１に高い飽和効率で直接的に噴霧することで、除菌対象空気５１に含まれた浮遊菌や塵埃等の異物を殺菌剤溶液に取り込むことができ、除菌に加えて除塵も実現できる。
【００４０】
メディア５０６を通過した殺菌後の空気は、エリミネータ５０７を通過してファン装置６００により室内へ供給される。
（調製運転モード）
三方切替弁５５１を操作し、循環ポンプによって循環槽５４の古い殺菌剤溶液を排出系５６７から系外へ排出し、循環槽５４の液位を下限液位計５４ａの下位設定レベルにまで低下させる。
【００４１】
次に、三方切替弁５５１を戻して循環系５５が噴霧装置５３に接続する状態で、薬剤供給系５６は、給水系５６２から生成装置５６１に供給水し、生成装置５６１において２−２１％塩酸水の被電解液を電解して微酸性電解水を生成し、生成時濃度の微酸性電解水を殺菌剤溶液として調製用供給部５６４を通して中継槽５４１に調製用大流量、ここでは例えば５Ｌ／分で供給し、流量計（図示省略）で計測しつつタイマー制御により所定量を供給する。
【００４２】
調製用供給部５６４の開口５６４ａから中継槽５４１に流入する殺菌剤溶液は一方側縁５４１ａから他方側縁５４１ｂに向けて流れ、中継槽５４１に滞留する水道水由来の異物を洗い流しながら他方側縁５４１ｂから越流して循環槽５４に供給され、中継槽５４１に生成時濃度の殺菌剤溶液が約５００−１０００ｍＬ残る。
【００４３】
このように、注液手段をなす越流口から殺菌剤溶液を循環槽５４へ調製用大流量で注ぐことで、中継槽５４１の内部に滞留する異物を殺菌剤溶液とともに循環槽５４へ移送することができ、中継槽５４１を適時に洗浄できる。また、中継槽洗浄手段をなす下り傾斜面５４１ｅのガイド部により調製用供給部５６４から中継槽５４１へ流入する殺菌剤溶液で中継槽５４１の内部に滞留する異物を浮遊させることで、異物の流動性が高まり、循環槽５４への移送を容易に行える。
【００４４】
生成時濃度の殺菌剤溶液の供給と同時に、希釈用水供給系５６３から希釈用水を循環槽５４に、ここでは例えば６Ｌ／分で供給する。供給量は殺菌剤溶液：希釈用水＝１：９の割合で供給し、循環槽５４に設定濃度、つまり殺菌剤溶液の有効塩素濃度が０．１−１０ｍｇ／Ｌである新しい殺菌剤溶液を回分調製し、循環槽５４内に上限液位計５４ｃの上位設定レベルにまで殺菌剤溶液を貯溜する。
【００４５】
このように、調製運転モードでは、中継槽５４１に他方側縁５４１ｂによって越流口を形成することで、調製用供給部５６４から供給する殺菌剤溶液を、中継ポンプ５６５を介して間接的に供給することなく、越流という手段によって調製用大流量で直接的に循環槽５４に供給することができ、調製用供給部５６４から殺菌剤溶液を調製用大流量で供給するとともに、希釈用水供給系５６３から希釈用水を供給することで、短時間に殺菌剤溶液の更新を行うことができる。
【００４６】
また、通常運転モードにおいて、殺菌剤溶液を設定濃度に保って薬効を維持しつつ、除菌対象空気から殺菌剤溶液中に移行した異物を循環槽内に滞留させ、調製運転モードにおいて異物とともに古い殺菌剤溶液を排出し、循環槽内の殺菌剤溶液を更新して清浄性を回復させるので、従来のような殺菌剤溶液と希釈用水を連続的に供給することに因るオーバーフローが生じず、一時貯溜のための排水槽が不要となり、循環槽５４の内部の古い殺菌剤溶液の全量を一度に排出することで、高い稼働効率でポンプを運転できる。
（洗浄運転モード）
洗浄運転モードでは、三方切替弁５５１を操作し、循環ポンプによって循環槽５４の古い殺菌剤溶液を排出系５６７から系外へ排出し、調製用供給部５６４から殺菌剤溶液を循環槽５４に供給し、循環槽５４に所定量の殺菌剤溶液を満たして循環槽５４を薬剤洗浄する。
【００４７】
この洗浄運転モードにおいても、調製用供給部５６４から殺菌剤溶液を調製用大流量で循環槽５４に供給することで、循環槽５４の内部に所定量の殺菌剤溶液を短時間に満たして循環槽５４を薬剤洗浄することができる。
（微酸性電解水の取り出し）
空気清浄装置から微酸性電解水を取り出す場合には、三方切替弁５６４ｂを操作して調剤用供給部５６４を外部取出部５６４ｃに接続し、微酸性電解水を給水口５６４ｄから取り出す。
（実施の形態２）
実施の形態１では中継槽５４１の越流口をなす他方側縁５４１ｂから循環槽５４に殺菌剤溶液を越流させた。この構成に替えて以下の構成とすることも可能である。
【００４８】
図５および図６に示すように、中継槽５４１の槽底部を貫通して注液手段をなすオーバーフロー管５９１を配置し、オーバーフロー管５９１の上端開口５９１ａを中継槽５４１の水面付近に開口させて越流口とし、下端開口５９１ｂを循環槽５４の下位設定レベルより下方位置の槽底部付近において槽底面に向けて開口させる。
【００４９】
そして、調剤用供給部５６４の供給管路を中継槽５４１の底部付近にまで配置して殺菌剤溶液を槽底面に向けて案内するガイド部とし、その開口５６４ｅを中継槽５４１の水面下の底部近傍で底面に向けて開口させることで、中継槽洗浄手段を構成する。
【００５０】
この構成により、中継槽５４１の底部に滞留する供給水由来の含有物を、開口５６４ｅから噴出する殺菌剤溶液で巻きあげて、供給水由来の含有物が殺菌剤溶液とともに、オーバーフロー管５９１を通して循環槽５４に移送して排出することができ、調製運転モードや洗浄運転モードを行う度に中継槽５４１を洗浄できる。
【００５１】
また、循環槽５４の古い殺菌剤溶液を排出した後に循環槽５４へ生成時濃度の殺菌剤溶液を供給する時に、中継槽５４１の殺菌剤溶液はオーバーフロー管５９１を通して循環槽５４に流下し、下位設定レベルの水面下に流れ出るので、殺菌剤溶液が循環槽５４の内部で水面を叩くことがなくなり、その衝撃の水音の発生を防止できる。同様に、調剤用供給部５６４から中継槽５４１に流下する殺菌剤溶液が中継槽５４１の水面下に流れ出るので、殺菌剤溶液が中継槽５４１の水面を叩くことがなくなり、その衝撃の水音の発生を防止できる。
（実施の形態３）
注液手段は、図７（ａ）、（ｂ）に示すような鹿威しの構成にすることも可能である。中継槽５４１の槽底部に反転装置の一部をなす支軸５４３を設け、支軸５４３をハウジング５００の側において回転自在に支承して反転装置を構成する。支軸５４３は空状態の中継槽５４１の重心５４３ａと所定量の殺菌剤溶液を貯溜した満杯状態の中継槽５４１の重心５４３ｂとの中間に位置している。
【００５２】
図７（ａ）に示すように、中継槽５４１は実重心が空状態の重心５４３ａと一致する状態において調製用供給部５６４から殺菌剤溶液を受け止める第１姿勢にあり、中継槽５４１への殺菌剤溶液の注液にともなって実重心が移動し、図７（ｂ）に示すように、実重心が支軸５４３の軸心を超えて満杯状態の重心５４３ｂの側に移動すると、中継槽５４１が支軸５４３の軸心廻りに回動し、他方側縁５４１ｂの越流口を注ぎ口として、この注ぎ口が下方位置となる姿勢に中継槽５４１が反転し、中継槽５４１の内部の殺菌剤溶液の全量が槽内の異物を伴って循環槽５４へ移送される。また、モータ等の動力を使用して中継槽５４１を反転させることも可能である。
【符号の説明】
【００５３】
５１    除菌対象空気
５２    浄化用通気路
５３    噴霧装置
５４    循環槽
５４ａ  下限液位計
５４ｂ  中位液位計
５４ｃ  上限液位計
５５    循環系
５６    薬剤供給系
５００    ハウジング
５０１    扉体
５０２    吸気口
５０３    送気口
５０４    第１防塵ネット
５０５    中性能フィルター
５０６    メディア
５０７    エリミネータ
５０８    第２防塵ネット
５０９    風洞
５３１    噴霧ノズル
５１０    パン
５４１    中継槽
５４１ａ  一方側縁
５４１ｂ  他方側縁
５４１ｃ  最底部
５４１ｅ  下り傾斜面
５４１ｆ  上り傾斜面
５４２    降下液ガイド板
５４３    支軸
５４３ａ  空状態の重心
５４３ｂ  満杯状態の重心
５５０    循環ポンプ
５５１    三方切替弁
５５２    逆止弁
５６１    生成装置
５６２    給水系
５６３    希釈用水供給系
５６４    調製用供給部
５６４ａ  開口
５６４ｂ  三方切替弁
５６４ｃ  外部取出部
５６４ｄ  給水口
５６４ｅ  開口
５６５    中継ポンプ
５６６    補給用供給部
５６７    排出系
５９１    オーバーフロー管
５９１ａ  上端開口
５９１ｂ  下端開口
６００    ファン装置
７００    制御装置
【図１】
0006598566.tif 000002
【図２】
0006598566.tif 000003
【図３】
0006598566.tif 000004
【図４】
0006598566.tif 000005
【図５】
0006598566.tif 000006
【図６】
0006598566.tif 000007
【図７】
0006598566.tif 000008